(57)【特許請求の範囲】
【請求項１】
テレビ放送電波を受信して出力するテレビ機能付き携帯端末装置であって、
現在放送中の受信内容を逐次出力している状態での割り込み発生に応答して当該受信内容の出力を停止すると共に、これ以降の受信内容を録画メモリに逐次記憶する録画動作を開始する割り込み応答手段と、
前記録画動作中に前記録画メモリに録画することが可能な録画可能残量の低下によって録画の継続が困難な状況になったか否かを判別する判別手段と、
この判別手段によって録画継続が困難な状況になったことが判別された際に、ユーザからの第１の操作に応答して、受信内容を録画メモリに逐次記憶する録画動作を継続しながら当該録画メモリの内容を並行的に再生出力する追っかけ再生を開始するほか、追っかけ再生済みの部分には新たに受信した受信内容が録画可能なようにその録画動作を制御する制御手段と、
前記判別手段によって録画継続が困難な状況になったことが判別された際に、ユーザからの第２の操作に応答して、前記録画動作を中止すると共に、受信内容を録画メモリに録画したまま、前記出力停止状態を解除して現在放送中の受信内容の出力を再開する割り込み解除手段と、
を具備したことを特徴とするテレビ機能付き携帯端末装置。
【請求項２】
前記追っかけ再生時に、受信した受信内容を録画メモリに逐次記憶する毎にその録画位置を更新すると共に、この録画メモリの内容が逐次再生される毎にその再生位置を更新するほか、この録画位置あるいは再生位置が録画メモリの終端位置に到達する毎に録画位置あるいは再生位置を録画メモリの先頭位置に戻す動作をサイクリックに繰り返している状態において、前記判別手段は、前記録画位置が再生位置に接近あるいは一致したか否かに基づいて録画継続が困難な状況になった否かを判別する、
ようにしたことを特徴とする請求項１記載のテレビ機能付き携帯端末装置。
【請求項３】
前記追っかけ再生に先立って録画継続が困難な状況になったことをアラーム報知する、
ようにしたことを特徴とする請求項１又は２に記載のテレビ機能付き携帯端末装置。
【請求項４】
前記追っかけ再生の際には、早送り再生を開始する、
ようにしたことを特徴とする請求項１乃至３のいずれか１項に記載のテレビ機能付き携帯端末装置。
【請求項５】
コンピュータに対して、
現在テレビ放送中の受信内容を逐次出力している状態での割り込み発生に応答して当該受信内容の出力を停止すると共に、これ以降の受信内容を録画メモリに逐次記憶する録画動作を開始する機能と、
前記録画動作中に前記録画メモリに録画することが可能な録画可能残量の低下によって録画の継続が困難な状況になったか否かを判別する機能と、
録画継続が困難な状況になったことが判別された際に、ユーザからの第１の操作に応答して、受信内容を録画メモリに逐次記憶する録画動作を継続しながら当該録画メモリの内容を並行的に再生出力する追っかけ再生を開始するほか、追っかけ再生済みの部分には新たに受信した受信内容が録画可能なようにその録画動作を制御する機能と、
録画継続が困難な状況になったことが判別された際に、ユーザからの第２の操作に応答して、前記録画動作を中止すると共に、受信内容を録画メモリに録画したまま、前記出力停止状態を解除して現在放送中の受信内容の出力を再開する機能と、
を実現させるためのプログラム。
【発明の詳細な説明】
【技術分野】
【０００１】
この発明は、テレビ放送電波を受信して出力するテレビ機能付き携帯端末装置及びプログラムに関する。
【背景技術】
【０００２】
従来、テレビ放送を受信して出力するテレビ機能付き携帯端末装置が普及してきている。この種の携帯端末装置は、テレビ放送を受信して録画する録画機能が備えられており、テレビ視聴中に電話着信を受けた際に、この放送内容の録画を開始し、通話終了後に録画動作を継続しつつ録画内容をその開始位置から順次再生出力させる機能、いわゆる追っかけ再生機能を備えた技術が知られている（特許文献１参照）。
【特許文献１】特開２００２−２４７４９０号公報
【発明の開示】
【発明が解決しようとする課題】
【０００３】
しかしながら、この種の技術にあっては、現在録画中の放送内容を読み出しながら再生出力するものであるが、録画用のメモリ容量が据え置き型の録画装置に比べて極端に少ない携帯端末装置にあっては、追っかけ再生の動作中に何らかの理由によって録画メモリがフル状態（録画困難な状態）になる可能性がある。このことは、追っかけ再生の開始後に限らず、録画開始後、追っかけ再生が開始されるまでの時間、つまり、電話をかけている通話時間が長い場合には、録画だけが進行してしまうため、録画メモリがフル状態になってしまう可能性が高くなる。このような場合、録画動作をストップするようにしているが、この録画ストップによってそれ以降の放送内容を録画（視聴）することができなくなる。この場合、視聴者は、録画がストップした場合に追っかけ再生を解除して現在の放送内容を出力させる切り替え操作を行えばよいが、録画ストップに気づかないと、録画停止の状態で追っかけ再生されている内容を視聴し続けてしまい、結果として、録画ストップ以降の放送内容を視聴することができないという事態を生じる。
【０００４】
この発明の課題は、現在テレビ放送中の受信内容の録画動作中に録画メモリに録画することが可能な録画可能残量の低下によって録画の継続が困難な状況になった場合でも、それに素早く対応できるようにすることである。
【課題を解決するための手段】
【０００８】
請求項１記載の発明は、テレビ放送電波を受信して出力するテレビ機能付き携帯端末装置であって、現在放送中の受信内容を逐次出力している状態での割り込み発生に応答して当該受信内容の出力を停止すると共に、これ以降の受信内容を録画メモリに逐次記憶する録画動作を開始する割り込み応答手段と、前記録画動作中に前記録画メモリに録画することが可能な録画可能残量の低下によって録画の継続が困難な状況になったか否かを判別する判別手段と、この判別手段によって録画継続が困難な状況になったことが判別された際に、ユーザからの第１の操作に応答して、受信内容を録画メモリに逐次記憶する録画動作を継続しながら当該録画メモリの内容を並行的に再生出力する追っかけ再生を開始するほか、追っかけ再生済みの部分には新たに受信した受信内容が録画可能なようにその録画動作を制御する制御手段と、前記判別手段によって録画継続が困難な状況になったことが判別された際に、ユーザからの第２の操作に応答して、前記録画動作を中止すると共に、受信内容を録画メモリに録画したまま、前記出力停止状態を解除して現在放送中の受信内容の出力を再開する割り込み解除手段と、を具備したことを特徴とする。
更に、コンピュータに対して、上述した請求項１記載の発明に示した主要機能を実現させるためのプログラムを提供する（請求項５記載の発明）。
【０００９】
なお、上述した請求項１記載の発明は次ぎのようなものであってもよい。
前記追っかけ再生時に、受信した受信内容を録画メモリに逐次記憶する毎にその録画位置を更新すると共に、この録画メモリの内容が逐次再生される毎にその再生位置を更新するほか、この録画位置あるいは再生位置が録画メモリの終端位置に到達する毎に録画位置あるいは再生位置を録画メモリの先頭位置に戻す動作をサイクリックに繰り返している状態において、前記判別手段は、前記録画位置が再生位置に接近あるいは一致したか否かに基づいて録画継続が困難な状況になった否かを判別する（請求項２記載の発明）。
【００１０】
前記追っかけ再生に先立って録画継続が困難な状況になったことをアラーム報知する（請求項３記載の発明）。
前記追っかけ再生の際には、早送り再生を開始する（請求項４記載の発明）。
【発明の効果】
【００１５】
請求項１記載の発明によれば、テレビ放送の視聴中の割り込み発生（例えば、電話着信の検出）によってその視聴を一時中断して録画動作を開始させた場合に、中断期間（例えば、通話時間）が長過ぎて継続録画が困難な状況になったときには、録画動作を継続しながら録画メモリの内容を並行的に再生出力する追っかけ再生を開始するほか、追っかけ再生済みの部分には新たに受信した放送内容が録画可能なようにその録画動作を制御するようにしたから、追っかけ再生によって録画可能残量を増大確保することができ、この素早い対応によって録画継続が可能となり、非録画部分の発生を防止することができる。さらにテレビ放送の視聴中の割り込み発生（例えば、電話着信の検出）によってその視聴を一時中断して録画動作を開始させた場合に、中断期間（例えば、通話時間）が長過ぎて継続録画が困難な状況になったときには、録画動作を中止する代わりに現在放送中の受信内容の出力を再開するようにしたから、それまでの録画内容は後で視聴することにして、先ずは現在の放送内容を視聴することができるようになり、素早い対応によって受信内容の見逃しを確実に防止することが可能となる。
【００１６】
請求項２記載の発明によれば、上述した請求項１記載の発明と同様の効果を有するほか、追っかけ再生時に録画位置と再生位置を更新すると共に、この録画位置あるいは再生位置が録画メモリの終端位置に到達する毎に録画位置あるいは再生位置を録画メモリの先頭位置に戻す動作をサイクリックに繰り返している状態において、録画位置が再生位置に接近あるいは一致したか否かに基づいて録画継続が困難な状況になった否かを判別するようにしたから、録画位置と再生位置とを監視比較するだけで、録画継続が困難な状況か否かを容易に認識することが可能となる。
【００１７】
すなわち、追っかけ再生では再生位置に比べて録画位置が先行し、追っかけ再生が進むことで再生位置が録画位置に追いつくようになるのが一般的であるが、上述したサイクリック動作中に、例えば、スロー再生、一時再生停止などの操作が行われると、録画に比べて再生が遅くなって録画位置が逆に再生位置を追っかけるようになる。ここで、録画位置が再生位置に接近すると、録画可能残量は、録画位置と再生位置との間だけとなり、極端に少なくなり、継続録画が困難な状況となる。したがって、録画位置と再生位置とを比較し、録画位置が再生位置に接近したか否かを監視することによって継続録画が困難な状況か否かを認識することができる。
【００１８】
請求項３記載の発明によれば、上述した請求項１記載の発明と同様の効果を有するほか、追っかけ再生に先立って録画継続が困難な状況になったことをアラーム報知するようにしたから、何の前触れもなく追っかけ再生が突然開始されることを防ぐことができる。
【００１９】
請求項４記載の発明によれば、上述した請求項１記載の発明と同様の効果を有するほか、追っかけ再生の際には、早送り再生を開始するようにしたから、再生速度の自動調整によって録画可能残量を増大確保することができ、この素早い対応によって録画継続が可能となる。
【発明を実施するための最良の形態】
【００２０】
以下、図１〜図７を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、２つの筐体（上部筐体、下部筐体）が開閉可能に取り付けられた折り畳み自在なもので、二次電池を主電源として駆動され、通話機能、電子メール機能、インターネット接続機能などのほか、テレビ放送電波を受信して出力するテレビ機能と、このテレビ機能によって受信したテレビ放送を逐次録画する録画機能と、この録画機能によって録画された内容を再生出力する再生機能を備えている。
【００２１】
ＣＰＵ１は、記憶部２内の各種のプログラムに応じてこの携帯電話装置の全体動作を制御する中央演算処理装置である。記憶部２は、不揮発性メモリ(内部メモリ)であり、例えば、フラッシュメモリなどによって構成され、プログラム領域とデータ領域とを有し、このプログラム領域には、後述する図４〜図７に示す動作手順に応じて本実施例を実現するためのプログラムが格納されている。記録メディア３は、着脱自在な可搬型メモリで、撮影画像データ、各種のデータ、プログラムを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２２】
電話通信部５は、アンテナ６に接続された送受信デュプレクサの受信側から信号を取り込んで受信ベースバンド信号に復調したのちに、音声データを音声スピーカ７から出力させる。また、電話通信部５は、音声マイク８から入力された音声データを送信ベースバンド信号に符号化したのちに、送受信デュプレクサの送信側に与えられ、アンテナ６から発信出力させる。一方、電子メール機能、インターネット接続によって電話通信部５を介して受信した表示データは、ＬＣＤ（液晶表示器）などのメイン表示部９に与えられて表示出力される。メイン表示部９は、文字情報、テレビ映像、各種のメッセージなどを高品位に表示するもので、図２は、折り畳み式の装置本体を開いた状態において、メイン表示部９にテレビ映像が表示されたテレビ画面の表示例を示している。このメイン表示部９のほか、装置本体の背面部にはサブ表示部１０が設けられており、現在日時、簡易なメッセージ、アイコンなどが表示される。
【００２３】
テレビ受信部１１は、ＴＶアンテナ１２を備え、携帯電話などの携帯受信機向けの地上波デジタルテレビ放送を受信するもので、テレビ映像及び音声情報以外にも電子番組表(ＥＰＧ)なども含めて受信可能である。テレビ受信部１１は、専用ＣＰＵ、ＴＶアンテナ１２に接続されている受信部と、受信したテレビ放送を映像信号、音声信号に分離分離する増幅分離部と、圧縮データを解凍するデコード部などを有する構成となっており、このテレビ受信部１１から出力されたテレビ映像信号は、メイン表示部９から表示出力され、また、テレビ音声信号は、内蔵スピーカ１３あるいはイヤホン１４から出力される。
【００２４】
キー操作部１５は、押しボタン式の各種のキーを備え、ダイヤル入力、文字入力、コマンド入力などを行うもので、テレビ機能用としてテレビＯＮ／ＯＦＦキー、チャンネル切り替えキーのほか、テレビ放送の録画（録音を含む）を指示する録画開始キー、録画内容の再生を指示する再生キー、再生の一時停止を指示する一時停止キー、早送り再生を指示する早送りキー、再生終了を指示する終了キーなどを有している。なお、テレビ機能用の各キーは、メイン表示部９の画面上に配置したタッチキーであってもよい。ＣＰＵ１は、キー操作部１５からのキー入力信号に応じた処理を実行する。報知部１６は、上述した内蔵スピーカ１３を含めて、ＬＥＤ(発光ダイオード)、振動モータを有する構成で、電話・メール着信時には着信報知を行うほか、警告アラームなどの報知時にも駆動される。
【００２５】
図３は、受信したテレビ放送の番組内容をメモリ４内の録画メモリ４Ａに逐次記憶する録画動作を継続しながら録画メモリ４Ａの内容を並行的に再生出力する追っかけ再生を説明するための図である。
この実施例では、テレビ放送の視聴中において割り込み発生（例えば、電話着信の検出）によってその視聴を一時中断して録画動作を開始させ、割り込み終了（例えば、電話遮断の検出）によって録画動作を継続させながらこの録画内容を並行的に再生出力する追っかけ再生を開始するようにしている。
【００２６】
この追っかけ再生時の録画動作と再生動作は、録画メモリ４Ａを使用して行われるが、その際、ＣＰＵ１は、現在の書き込みアドレスを示す録画位置ＷＰを更新しながら現在放送中の番組内容（映像データ、音声データ）を録画メモリ４Ａに録画記憶すると共に、現在の読み出しアドレスを示す再生位置ＲＰを更新しながら録画メモリ４Ａから録画内容を順次読み出して再生出力（映像出力、音声出力）させる。
なお、録画メモリ４Ａは、例えば、２０分間の連続録画（音声を含む）が可能な容量を有する構成で、この録画メモリ４Ａの再生済み領域に新たに受信した放送内容を上書録画することによって録画メモリ４Ａの全領域をフル活用するようようにしている。また、テレビ放送を受信録画する際に大容量の半導体メモリあるいは小型ハードディスクなどの記録メディア３が外部接続されている場合には、この記録メディア３に対して録画するようにしてもよいが、この実施例では、録画メモリ４Ａに対して録画記憶するようにしている。
【００２７】
この場合、追っかけ再生では図３（Ａ）に示すように再生位置ＲＰに比べて録画位置ＷＰが先行しており、ＣＰＵ１は、録画位置ＷＰが録画メモリ４Ａの終端位置に到達すると、図３（Ｂ）に示すように録画位置ＷＰを録画メモリ４Ａの先頭位置に戻す。また、再生位置ＲＰが録画メモリ４Ａの終端位置に到達すると、図３（Ｃ）に示すように再生位置ＲＰを録画メモリ４Ａの先頭位置に戻す。このような動作をサイクリックに繰り返すことによって録画動作を継続しながら追っかけ再生が行われる。この場合、録画メモリ４Ａにその容量分の録画を行った後に、録画メモリ４Ａの再生済み領域に新たに受信した放送内容を上書録画するようにしている。なお、図中、矢印方向（順方向）に向かって録画位置ＷＰから再生位置ＲＰまでの間（図中、白抜き部分）は、録画を行うことが可能な領域（録画可能残量）となる。また、再生位置ＲＰから録画位置ＷＰまでの間（図中、斜線部分）は、未再生の録画領域（未再生録画量）であり、この部分に重ねて録画することはできない録画不可能な領域となる。
【００２８】
一般に、追っかけ再生では再生位置ＲＰに比べて録画位置ＷＰが先行している状態において、再生動作が進むにつれて図３（Ｄ）に示すように再生位置ＲＰが録画位置ＷＰに接近し、ついには録画位置ＷＰに追いつくようになる。一方、スロー再生、一時再生停止などの操作が行われると、録画速度に比べて再生が遅くなって録画位置ＷＰが逆に再生位置ＲＰを追っかけるようになる。ここで、図３（Ｅ）に示すように録画位置ＷＰが再生位置ＲＰに接近すると、つまり、未再生録画量が増えて録画メモリ４Ａの容量分に近づくと、録画可能な領域（録画可能残量）は、録画位置ＷＰから再生位置ＲＰまでの間だけとなり、極端に少なくなってしまう。
【００２９】
このように追っかけ再生の動作中においてＣＰＵ１は、録画位置ＷＰが再生位置ＲＰに接近したか否かに基づいて未再生録画量が録画メモリ４Ａの容量分に近づいたか否か、言い換えれば、録画可能残量が限界に近づいたか否か（継続録画が困難な状況になったか否か）の判別を行い、録画可能残量が限界に近づいて録画継続が困難であると判別された場合には、アラーム報知を行うほか、この録画動作を中止させると共に、追っかけ再生の出力に代わって現在放送中の受信内容の出力に切り替えたり、一時的に早送り再生に切り替えるようにしている。
【００３０】
また、ＣＰＵ１は、テレビ放送の視聴中の割り込み発生（例えば、電話着信の検出）によってその視聴を一時中断して録画動作を開始させた場合に、中断期間（例えば、通話時間）が長過ぎて録画可能残量が限界に近づき、継続録画が困難な状況になったときには、そのことをアラーム報知するほか、この録画動作を中止させる代わりに現在放送中の受信内容の出力を再開したり、追っかけ再生を開始するようにしている。
【００３１】
次ぎに、この実施例におけるテレビ機能付き携帯電話装置の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３２】
図４〜図７は、テレビ受信部１１の起動に伴って実行開始されるテレビ処理を示したフローチャートである。
先ず、ＣＰＵ１は、チャンネル選択用のキーの操作によって所望するチャンネルが選択指定されると（ステップＳ１）、テレビ受信部１１から指定チャンネルの放送番組の内容を受信すると共に（ステップＳ２）、受信した放送内容の出力を開始する（ステップＳ３）。この場合、受信した映像データは、メイン表示部９から順次表示出力され、また、音声データは内蔵スピーカ１３あるいはイヤホン１４から順次出力される。
【００３３】
このようにテレビ番組の放送内容を出力（視聴）している状態において、ＣＰＵ１は、現在受信中のテレビ放送番組の出力を一時的に中断させる割り込み指示が有るかをチェックする（ステップＳ４）。すなわち、電話着信に伴ってテレビ放送の出力を一時的に中断させる割り込み指示の有無をチェックしたり、ユーザ操作によってテレビ放送の出力を任意のタイミングで一時的に中断させる割り込み指示の有無をチェックする。このような着信割り込み／任意割り込みが無ければ（ステップＳ４でＮＯ）、その他のキー操作有無をチェックし（ステップＳ１１）、以下、割り込み指示あるいはキー操作が有るまで待機状態となる。
【００３４】
ここで、現在受信中のテレビ放送番組の出力を一時的に中断させる着信割り込み、あるいは任意割り込みを検出すると（ステップＳ４でＹＥＳ）、この割り込み検出に応答してＣＰＵ１は、それ以降の受信内容を録画メモリ４Ａの先頭位置から逐次書き込む録画動作を開始させると共に（ステップＳ５）、受信した放送内容の出力を一時停止、すなわち、メイン表示部９からの映像表示及び内蔵スピーカ１３あるいはイヤホン１４からの音声出力を一時停止させる（ステップＳ６）。そして、受信内容の出力を一時停止している状態であることを示す割り込み画面をテレビ画面に代えて表示出力させたのち（ステップＳ７）、この出力中断の割り込みが解除されたか（割り込み終了か）をチェックする（ステップＳ８）。
【００３５】
すなわち、通話終了（回線切断）を検出したり、出力中断の終了操作を検出したかをチェックし、割り込み終了を検出しなければ、ステップＳ１０に移り、録画位置ＷＰが再生位置ＲＰに接近したか否かに基づいて未再生録画量が録画メモリ４Ａの容量分（ＭＡＸ）に近づいたかをチェックする。すなわち、この場合、録画動作のみが行われ、再生動作は行われていないため、上述のステップＳ１０では録画メモリ４Ａの容量分（ＭＡＸ）の近くまで録画が行われたかをチェックする。ここで、未再生録画量が録画メモリ４Ａの容量分（ＭＡＸ）に近づいた場合、言い換えれば、録画メモリ４Ａの容量分の近くまで録画が行われた場合には（ステップＳ１０でＹＥＳ）、図５のフローに移り、アラーム音を報知部１６（内蔵スピーカ１３）から出力させるアラーム報知を行う（ステップＳ１４）。
【００３６】
つまり、テレビ放送の視聴中の割り込み発生（電話着信の検出）によってその視聴を一時中断して録画動作を開始させた場合に、中断期間（通話時間）が長過ぎて継続録画が困難な状況になったときには、そのことをアラーム報知する。そして、メイン表示部９にメニュー画面を表示させる（ステップＳ１５）。このメニュー画面は、「１：追っかけ再生」、「２：受信出力再開」の項目を有し、何れかのメニュー項目が選択されると（ステップＳ１６）、その選択メニューを判別する（ステップＳ１７）。
【００３７】
「１：追っかけ再生」は、録画動作を継続しながらその録画内容を順次再生する再生動作を並列的に行う追っかけ再生の開始を指示するメニュー項目であり、「２：受信出力再開」は、追っかけ再生を解除して現在放送されている受信内容を出力（視聴）することを示すメニュー項目である。ここで、「１：追っかけ再生」が選択された場合には（ステップＳ１７でＮＯ）、図７のフローに移り、追っかけ再生を開始させるが、「２：受信出力再開」が選択された場合には、この時点で録画動作を終了させると共に（ステップＳ１８）、割り込みによって一時録画された放送内容（未視聴分の録画内容）が存在していることを示す一時録画フラグをセットしておく（ステップＳ１９）。そして、一時録画有りを示すアイコンをテレビ画面に案内表示させると共に（ステップＳ２０）、現在放送中の受信内容を出力する動作を再開させたのち（ステップＳ２１）、図４のステップＳ４に戻る。
【００３８】
いま、テレビ画面上に案内表示されている一時録画有りを示すアイコンが選択指定された場合には（図４のステップＳ１１、Ｓ１２でＹＥＳ）、図６のフローに移り、通常の再生動作を開始させる。すなわち、ＣＰＵ１は、選択アイコン対応の録画ファイルをアクセスして、その先頭位置から録画内容を読み出してその再生を開始する（ステップＳ２２）。この再生動作中にキー操作の有無をチェックし（ステップＳ２３）、再生終了を示すキー以外のキーが操作された場合には（ステップＳ２４でＮＯ）、操作キーに対応する処理として、例えば、早送り再生、スロー再生、ノーマル再生、一時再生停止などの処理が行われる（ステップＳ２６）。そして、再生終了を示すキー操作が行われた場合（ステップＳ２４でＹＥＳ）あるいは録画ファイルの終了位置まで全て再生し終わった場合には（ステップＳ２６でＹＥＳ）、この時点で再生動作を終了させる（ステップＳ２７）。そして、上述の一時録画フラグをリセットすると共に（ステップＳ２８）、選択された一時録画アイコンの表示を消去したのち（ステップＳ２９）、最初のステップＳ１に戻る。
【００３９】
また、図４のステップＳ１１、Ｓ１２において、その他のキーとして録画開始キー、音量調整操作、輝度調整操作などのキー操作が行われたことが検出された場合には、この操作キーに対応した処理として、例えば、録画開始、音量調整などの処理を実行したのち（ステップＳ１３）、最初のステップＳ１に戻る。  
一方、未再生録画量が録画メモリ４Ａの容量分（ＭＡＸ）に近づく前に、通話終了（回線切断）あるいは出力中断の終了操作によって割り込み終了を検出した場合には（ステップＳ８でＹＥＳ）、割り込み終了フラグをセットしたのち（ステップＳ９）、図７のフローに移り、追っかけ再生を開始させる。なお、割り込みが発生してからそれが解除されるまでの割り込み期間（出力中断期間）は、テレビ視聴中に電話着信が有ってからその通話が終了するまでの期間、あるいは割り込み操作からその解除操作が行われるまでの期間であり、テレビ放送の録画動作は、この期間が経過した後（追っかけ再生後）もそのまま継続される。
【００４０】
いま、追っかけ再生が開始されると、録画メモリ４Ａの先頭位置から録画内容を順次読み出し、その映像データをメイン表示部９から表示出力させると共に、音声データを内蔵スピーカ１３あるいはイヤホン１４から出力させる（図７のステップＳ３０）。このような追っかけ再生の動作中に何らかのキー操作が行われたかをチェックし（ステップＳ３１）、追っかけ再生の終了操作が行われたときには（ステップＳ３２でＹＥＳ）、ステップＳ４８に移って再生動作を停止させるが、その他のキーが操作された場合には、操作キーに対応する処理として、例えば、早送り再生、スロー再生、ノーマル再生、一時再生停止などの処理が行われる（ステップＳ３３）。
【００４１】
また、キー操作無しの検出タイミングでは（ステップＳ３１でＮＯ）、ステップＳ３４に移り、上述した場合と同様に、未再生録画量が録画メモリ４Ａの容量分（ＭＡＸ）に近づいたか否か、つまり、上述のスロー再生、一時再生停止などによって再生動作が録画速度に比べて遅くなって図３（Ｅ）に示すように録画位置ＷＰが再生位置ＲＰに接近したか否かをチェックする。ここで、未再生録画量が録画メモリ４ＡのＭＡＸに近づいた場合には、割り込み終了フラグのセット有無を調べるが（ステップＳ３５）、いま、割り込み終了フラグがセットされている場合であるから、アラーム音を報知部１６（内蔵スピーカ１３）から出力させるアラーム報知を行うと共に（ステップＳ３６）、メイン表示部９にメニュー画面を表示させる（ステップＳ３７）。このメニュー画面は、「１：早送り再生→ノーマル再生」、「２：受信出力再開」の項目を有し、何れかのメニュー項目が選択されると（ステップＳ３８）、その選択メニューを判別する（ステップＳ３９）。
【００４２】
この「１：早送り再生→ノーマル再生」は、所定時間の早送り再生後に通常速度（録画速度）のノーマル再生に自動的に切り替えることを示すメニュー項目である。ここで、所定時間は、録画メモリ４Ａの容量などにもよるが、例えば、５秒間、また、早送り速度は、例えば、ノーマル再生の1.５倍などである。「２：受信出力再開」は、追っかけ再生を解除して現在放送されている受信内容を出力（視聴）することを示すメニュー項目である。ここで、「１：早送り再生→ノーマル再生」が選択された場合には（ステップＳ３９でＮＯ）、例えば、1.５倍の早送り再生を開始させる（ステップＳ４１）。なお、この場合には映像の早送りと共に、音声の早送りが行われる。そして、早送り再生から所定時間（例えば、５秒間）の経過を検出すると、早送り再生からノーマル再生に切り替える（ステップＳ４２）。このような早送り再生によって緊急事態を一時的に回避することができるが、それでも未再生録画量は限界に近いため、そのことを報知する限界アイコンを再生画面内に案内表示させる（ステップＳ４３）。
【００４３】
その後、ステップＳ３１に戻るが、ここで、限界アイコンを確認したユーザが早送り再生を指示するキー操作を行うと（ステップＳ３１、Ｓ３２）、例えば、1.３倍あるいは1.５倍の早送り再生が行われるが（ステップＳ３３）、これによって再生動作が早くなり、再生がかなり進むと、未再生録画量が少なくなるため、上述のステップＳ３４では「ＮＯ」と判断されてステップＳ４４に移り、未再生録画量は録画メモリ４Ａの全体容量の１／３以上か否かをチェックする。いま、未再生録画量が録画メモリ４Ａの容量分（ＭＡＸ）に近づいてはいないが、その１／３以上であれば、そのことを報知する注意アイコンを再生画面内に案内表示させる（ステップＳ４５）。そして、上述のステップＳ３１に戻り、キー操作有無をチェックする。
【００４４】
また、未再生録画量が録画メモリ４Ａの全体容量の１／３未満であれば（ステップＳ４４でＮＯ）、ステップＳ４６に進むが、この場合、上述した限界アイコン、注意アイコンが案内表示されている場合には、当該アイコンの表示を消去する処理が行われる。そして、未再生録画量は無いか、つまり、再生位置ＲＰが録画位置ＷＰに接近し、ついには録画位置ＷＰに追いついたかをチェックする（ステップＳ４７）。ここで、未再生録画量が少しでも残っていれば（ステップＳ４７でＮＯ）、上述のステップＳ３１に戻るが、再生位置ＲＰが録画位置ＷＰに追いついた場合には、この時点で追っかけ再生を停止させたのち（ステップＳ４８）、最初のステップＳ１に戻る。
【００４５】
一方、未再生録画量が録画メモリ４Ａの容量分（ＭＡＸ）に近づくことによってメニュー画面が表示されている状態において、追っかけ再生前の録画中に「２：受信出力再開」が選択されると（図５のステップＳ１７でＹＥＳ）、この時点で録画動作を終了させると共に（ステップＳ１８）、割り込みによって一時録画された放送内容（未視聴分の録画内容）が存在していることを示す一時録画フラグをセットしておく（ステップＳ１９）。そして、一時録画有りを示すアイコンをテレビ画面の近傍に案内表示させると共に（ステップＳ２０）、現在放送中の受信内容を出力する動作を再開させたのち（ステップＳ２１）、図４のステップＳ４に戻る。
【００４６】
また、追っかけ再生の動作中において、メニュー画面の中から「２：受信出力再開」が選択された場合には（図７のステップＳ３９でＹＥＳ）、追っかけ再生を停止させたのち（ステップＳ４０）、図５のフローに移り、上述の場合と同様に、録画動作を終了させると共に（ステップＳ１８）、一時録画フラグをセットする（ステップＳ１９）。そして、一時録画有りを示すアイコンをテレビ画面の近傍に案内表示させると共に（ステップＳ２０）、現在放送中の受信内容を出力する動作を再開させたのち（ステップＳ２１）、図４のステップＳ４に戻る。
【００４７】
以上のように、この実施例においてＣＰＵ1は、テレビ放送の視聴中に電話着信などの割り込み発生によってその視聴を一時中断して録画動作を開始させた場合に、中断期間（例えば、通話時間）が長過ぎて継続録画が困難な状況になったときには、報知部１６からアラーム音を出力させるようにしたから、そのことを即座に知らせることができ、電話を切るなどの素早い対応が可能となる。また、継続録画が困難な状況になったときには、メニュー画面の中から「２：受信出力再開」が選択指定されたことを条件に、録画動作を中止する代わりに現在放送中の受信内容の出力を再開するようにしたから、それまでの録画内容は後で視聴することにして、先ずは現在の放送内容を視聴することができるようになり、素早い対応によって受信内容の見逃しを確実に防止することが可能となる。
【００４８】
この場合、録画動作の中止に先立って録画継続が困難な状況になったことをアラーム報知するので、割り込み中であっても現在放送中の受信内容の出力を強制的に再開しなければならない状況になったことを事前に知ることができる。
また、割り込み発生によって録画メモリ４Ａに録画記憶された内容が未視聴状態であることを示す一時録画有りアイコンを表示し、この一時録画アイコンの選択操作が行われた際に、この未視聴状態にある録画内容を読み出して再生出力するようにしたから、録画継続の困難時に強制的に現在放送中の受信内容の出力を再開させた場合に、見逃し部分が録画されていることを確認することができ、現在視聴中の放送終了後などでその録画内容を任意に視聴することが可能となる。
【００４９】
また、ＣＰＵ１は、継続録画が困難な状況になったときに、録画動作を継続しながら録画メモリ４Ａの内容を並行的に再生出力する追っかけ再生を開始するほか、追っかけ再生済みの部分には新たに受信した放送内容が録画可能なようにその録画動作を制御するようにしたから、追っかけ再生によって録画可能残量を増大確保することができ、この素早い対応によって録画継続が可能となり、非録画部分の発生を防止することができる。
【００５０】
この場合、追っかけ再生時に録画位置ＷＰと再生位置ＲＰを更新するほか、この録画位置ＷＰあるいは再生位置ＲＰが録画メモリ４Ａの終端位置に到達する毎に録画位置ＷＰあるいは再生位置ＲＰを録画メモリ４Ａの先頭位置に戻す動作をサイクリックに繰り返している状態において、録画位置ＷＰが再生位置ＲＰに接近したか否かに基づいて未再生録画量が録画メモリ４Ａの容量分に近づいたか否かを判別ようにしたから、録画位置ＷＰと再生位置ＲＰとを監視比較するだけで、録画継続が困難な状況になったか否かを容易かつ確実に認識することが可能となる。
【００５１】
ＣＰＵ１は、追っかけ再生に先立って録画継続が困難な状況になったことをアラーム報知するようにしたから、何の前触れもなく追っかけ再生が突然開始されることを防ぐことができる。また、追っかけ再生の際には、早送り再生を開始するようにしたから、再生速度の自動調整によって録画可能残量を増大確保することができ、この素早い対応によって録画継続が可能となる。
【００５２】
なお、上述した実施例においては、録画位置ＷＰが再生位置ＲＰに接近したか否かに基づいて未再生録画量が録画メモリ４Ａの容量分（ＭＡＸ）に近づいたかをチェックして録画可能残量の限界に近づいて継続録画が困難な状況になったか否かを判別するようにしたが、録画可能残量を検出すると共に、この録画可能残量が録画メモリ４Ａの容量分（ＭＡＸ）に近づいたかに基づいて継続録画が困難な状況になったか否かを判別するようにしてもよい。
上述した実施例においては、録画位置ＷＰが再生位置ＲＰに接近したか否かに基づいて録画継続が困難な状況になったか否かを判別するようにしたが、録画位置ＷＰが再生位置ＲＰに一致したか否かに基づいて録画継続が困難な状況になったか否かを判別するようにしてもよい。
【００５３】
上述した実施例においては、録画可能残量が限界に近づいて録画継続が困難となった際に、メニュー画面の中から「２：受信出力再開」が選択指定されたことを条件に、この録画動作を中止すると共に、追っかけ再生に代わって現在放送中の受信内容の出力を再開したが、メニュー画面を表示することなく、つまり、「２：受信出力再開」を選択指定することなく、録画動作を中止するようにしてもよい。同様に、メニュー画面の中から「１：早送り再生→ノーマル再生」が選択指定されたことを条件に、録画を継続しながらこの早送りの追っかけ再生を開始したが、メニュー画面を表示することなく、つまり、「２：受信出力再開」を選択指定することなく、早送り再生を行うようにしてもよい。
【００５４】
また、上述した実施例においては、注意アイコン、限界アイコンを案内表示するようにしたが、アイコン表示に代わって注意メッセージ、限界メッセージを案内表示してもよい。
その他、上述した実施例においては、テレビ機能付き携帯電話装置に限らず、例えば、テレビ機能付きＰＤＡ、電子カメラ、電子腕時計、音楽再生機などの携帯端末装置であっても同様に適用可能である。
【図面の簡単な説明】
【００５５】
【図１】携帯端末装置として適用したテレビ機能付き携帯電話装置の基本的な構成要素を示したブロック図。
【図２】折り畳み式の装置本体を開いた状態においてメイン表示部９にテレビ映像が表示されるテレビ画面を示した図。
【図３】（Ａ）〜（Ｅ）は、受信したテレビ放送の番組内容をメモリ４内の録画メモリ４Ａに逐次記憶する録画動作を継続しながら録画メモリ４Ａの内容を並行的に再生出力する追っかけ再生を説明するための図。
【図４】テレビ受信部１１の起動に伴って実行開始されるテレビ処理を示したフローチャート。
【図５】図４に続く、フローチャート。
【図６】図４に続く、フローチャート。
【図７】図４に続く、フローチャート。
【符号の説明】
【００５６】
１  ＣＰＵ
２  記憶部
５  電話通信部
９  メイン表示部
１１  テレビ受信部
１３  内蔵スピーカ
１４  イヤホン
１５  キー操作部
１６  報知部
４Ａ  録画メモリ
ＷＰ  録画位置
ＲＰ  再生位置
【図１】
0004652180.tif 000002
【図２】
0004652180.tif 000003
【図３】
0004652180.tif 000004
【図４】
0004652180.tif 000005
【図５】
0004652180.tif 000006
【図６】
0004652180.tif 000007
【図７】
0004652180.tif 000008